(57)【要約】【課題】  歯科用チェアユニットの操作パネルは、高機能化に伴いスイッチの数が増え、操作が  煩雑であった。高機能でも必要最小限のスイッチで操作しやすい操作パネルを備えた歯科用チェアユニットを提供する。【解決手段】  歯科用チェアユニットを制御するための複数の機能を有するスイッチと、前記複数の機能を切替えるための切替えスイッチを有する操作パネルを備え、前記複数の機能を有するスイッチがタッチスイッチであり、前記タッチスイッチの背後にバックライトを備え、前記タッチスイッチが、操作不要のときは前記バックライトが消灯して見えず、操作可能なときは前記バックライトが点灯して見えるようにした歯科用チェアユニット。【選択図】図１
2014033954.tif 000002
【特許請求の範囲】
【請求項１】
歯科用チェアユニットを制御するための複数の機能を有するスイッチと、前記複数の機能を切替えるための切替えスイッチを有する操作パネルを備えた歯科用チェアユニット。
【請求項２】
前記複数の機能を有するスイッチがタッチスイッチであり、前記タッチスイッチの背後にバックライトを備え、前記タッチスイッチが、操作不要のときは前記バックライトが消灯して見えず、操作可能なときは前記バックライトが点灯して見えるようにした請求項１に記載の歯科用チェアユニット。
【発明の詳細な説明】
【技術分野】
【０００１】  本発明は歯科用チェアユニットの、特に操作パネルに関する。
【背景技術】
【０００２】  歯科用チェアユニットの操作パネルは、高機能化に伴いスイッチの数が増え、複雑な操作が要求されるようになった。そのため、施術者は多くのスイッチの中から使用するスイッチを探さなければならず煩雑であった。
【先行技術文献】
【特許文献】
【０００３】
【特許文献１】  特開２００６−３４６２６０号公報
【発明の概要】
【発明が解決しようとする課題】
【０００４】  高機能でも必要最小限のスイッチで操作しやすい操作パネルを備えた歯科用チェアユニットを提供する。
【課題を解決するための手段】
【０００５】  上記に鑑み本発明者は鋭意実験研究の結果、下記の手段により課題を解決した。
（１）歯科用チェアユニットを制御するための複数の機能を有するスイッチと、前記複数の機能を切替えるための切替えスイッチを有する操作パネルを備えた歯科用チェアユニット。
（２）前記複数の機能を有するスイッチがタッチスイッチであり、前記タッチスイッチの背後にバックライトを備え、前記タッチスイッチが、操作不要のときは前記バックライトが消灯して見えず、操作可能なときは前記バックライトが点灯して見えるようにした前項（１）に記載の歯科用チェアユニット。
【発明の効果】
【０００６】  本発明によれば次のような優れた効果を発揮することができる。
１、請求項１の発明によれば、歯科用チェアユニットを制御するための複数の機能を有するスイッチと、前記複数の機能を切替えるための切替えスイッチを有する操作パネルを備えているため、スイッチの数が必要最小限になり、操作パネルが複雑化せず、使いやすい歯科用チェアユニットが得られる。
２、請求項２の発明によれば、前記複数の機能を有するスイッチがタッチスイッチであり、前記タッチスイッチの背後にバックライトを備え、前記タッチスイッチが、操作不要のときは前記バックライトが消灯して見えず、操作可能なときは前記バックライトが点灯して見えるようにしたため、操作不要のスイッチは隠蔽されており、診療の場面に応じて操作可能なスイッチのみがバックライトで浮かび上がるので、多くのスイッチの中から必要なスイッチを探す必要が無く、診療効率の向上につながる。
【図面の簡単な説明】
【０００７】
【図１】  本発明の歯科用チェアユニット。（実施例１）
【図２】  操作パネル。（実施例１）
【図３】  操作パネル説明図。（実施例１）
【図４】  マニュアルのときの操作パネル説明図。（実施例２）
【図５】  オートのときの操作パネル説明図。（実施例２）
【図６】  マニュアルのときの患者導入時の操作パネル。（実施例２）
【図７】  オートのときの患者導入時の操作パネル。（実施例２）
【図８】  オートのときのマイクロモータ使用時の操作パネル。（実施例２）
【図９】  タッチスイッチ及び表示灯の断面模式図。（実施例２）
【発明を実施するための形態】
【０００８】  発明を実施するための最良の形態を以下実施例の図に基づいて順次説明する。
【実施例１】
【０００９】  図１は、本発明の歯科用チェアユニットである。
１は歯科用チェアユニット、２は背板、３はシート、４は補助者側ホルダ、５はライト、６はテーブル、７ａは操作パネル、８はホルダ、９はベース、１０はベースンである。ホルダに格納されるマイクロモータ等のインスツルメント類は、図面が見にくくなるため図示していない。この例では、操作パネルがテーブル６の前面に装備されているが、補助者側ホルダ４や背板２に装備することもできる。
歯科用チェアユニット１は、ベース９内の油圧シリンダ（図示せず）によりベース９以外の部位が上昇又は下降する。また、歯科用チェアユニット１内の他の油圧シリンダ（図示せず）により、背板２が起立又は傾斜する。これらの上昇、下降、起立、及び傾斜の制御は操作パネル７ａのスイッチで行う。本図は説明のため各部が見やすいように、シート３が最も下降し、背板２を傾斜させた状態で示したものであり、歯科用チェアユニット１の実際の使用状態については後述する。【００１０】  図２は、操作パネルである。
２０ａはパネルシート、２１はスイッチ１、２２はスイッチ２、２３はスイッチ３、２４はスイッチ４、２５は切替えスイッチ、３１、３３は液晶画面操作スイッチ、３２は液晶画面、４１、４２、４３、４４は表示灯、５１はインスツルメント表示灯、６１、６２、６３、６４はインスツルメント操作スイッチである。本図は、タッチスイッチ及びバックライトが無い構成の操作パネル７ａで、スイッチの種類はタクトスイッチ又はメンブレムスイッチが使われる。操作パネル７ａ上のスイッチや表示灯は隠されることがなく、常に表示される。
一般的な歯科用チェアユニットでは、シート３の上昇又は下降、背板２の起立又は傾斜の制御において、いずれかのスイッチを一回押すことにより設定された位置までシート３と背板２を自動で動かす制御と、施術者がいずれかのスイッチを選択してシート３と背板２が希望の位置に動くまで押し続けるという手動の制御があり、前者をオート、後者をマニュアルと呼ぶ。
本図の切替えスイッチ２５は、オートとマニュアルを切替えるスイッチで、一回押すたびに切替わる。切替わるたびに液晶画面３２や表示灯４１、４２、４３、４４等の表示を変えて、施術者に分かるようにしても良い。【００１１】  図３は、操作パネル説明図であり、左の方だけを拡大して図示したものである。
スイッチ１からスイッチ４には、それぞれを識別するための識別表示が描かれている。これらのスイッチは、オートとマニュアルを兼用するので、オートとマニュアルに対応させて二色で塗り分けられている。本図において、塗りつぶし又はハッチングで示した矢印及び英数字はオート、それ以外の矢印はマニュアルの動きを表している。
オートのときは、例えばスイッチ１（２１）を押すと、シート３と背板２が設定された診療ポジションまで自動で動く。マニュアルのときは、例えばスイッチ１（２１）を押すとシート３が上昇し、離すと停止する。
【実施例２】
【００１２】  図４は、マニュアルのときの操作パネル説明図である。
７ｂは操作パネル、２０ｂはパネルシート、１２１ａはスイッチ１、１２２ａはスイッチ２、１２３ａはスイッチ３、１２４ａはスイッチ４であり、いずれもタッチスイッチである。
本図は、タッチスイッチとバックライトを装備し、操作不要のスイッチを見えないようにする方式の操作パネル７ｂにおいて、マニュアルのときの状態を示している。マニュアルの場合は、スイッチ１（１２１ａ）からスイッチ４（１２４ａ）まで、４個すべてが見えるようなる。またこの例では、スイッチ１（１２１ａ）、スイッチ２（１２２ａ）、スイッチ３（１２３ａ）、及びスイッチ４（１２４ａ）は、それぞれオート用のバックライトとマニュアル用のバックライトを装備し、オートのときとマニュアルのときでバックライトを変更し、識別表示も変更できる。本図はマニュアルのときなので、識別表示はマニュアル用のものが現れている。オートとマニュアルのバックライトの切換えと識別表示の変更、及び表示灯については後述する（図９）。なお、切換えスイッチ２５は、オートとマニュアルの切換えがいつでもできるように常に表示される。【００１３】  図５は、オートのときの操作パネル説明図である。
１２１ｂはスイッチ１、１２２ｂはスイッチ２、１２３ｂはスイッチ３、１２４ｂはスイッチ４であり、いずれもタッチスイッチである。
本図は、タッチスイッチとバックライトを装備し、操作不要のスイッチを見えないようにする方式の操作パネル７ｂにおいて、オートのときの状態を示している。オートの場合は、スイッチ１（１２１ｂ）からスイッチ４（１２４ｂ）の内、診療の場面において使用できるものだけが見えるようなる。ただし、ここでは説明のため４個全部を表示した状態で描いている。この例では、図４と同様にスイッチ１（１２１ｂ）、スイッチ２（１２２ｂ）、スイッチ３（１２３ｂ）、及びスイッチ４（１２４ｂ）は、それぞれオート用のバックライトとマニュアル用のバックライトを装備し、オートのときとマニュアルのときでバックライトを変更し、識別表示も変更できる。本図のスイッチ１（１２１ｂ）、スイッチ２（１２２ｂ）、スイッチ３（１２３ｂ）、及びスイッチ４（１２４ｂ）は、それぞれ図４のスイッチ１（１２１ａ）、スイッチ２（１２２ａ）、スイッチ３（１２３ａ）、及びスイッチ４（１２４ａ）と同じものであるが、オートのときなので識別表示はオート用のものになっている。【００１４】  図６は、マニュアルのときの患者導入時の操作パネルである。
本図では診療の場面の一例として、患者導入時の状態を表す。患者導入時とは、患者が診療室に入りシートに座るときのことである。この場面において、マニュアルの場合は、スイッチ１（１２１ａ）からスイッチ４（１２４ａ）までの４個は見えるが、その他のスイッチや表示灯等は使用しないので隠されており押すことはできない。隠れたスイッチは見えないだけでなく、仮に押しても反応しないように制御されている。施術者は、マニュアルでスイッチ１（１２１ａ）からスイッチ４（１２４ａ）を適宜押して、患者の体型や症例に合わせた診療ポジションになるまでシート３や背板２を制御する。【００１５】  図７は、オートのときの患者導入時の操作パネルである。
本図も患者導入時の状態を表す。このときは、シート３と背板２を診療ポジションまで自動で動かすスイッチ１（１２１ｂ）及びもう一つの診療ポジションまで自動で動かすスイッチ２（１２２ｂ）と、切替えスイッチ２５だけが表示され、その他のスイッチや表示灯等は操作しないので隠されており押すことはできない。隠れたスイッチは見えないだけでなく、仮に押しても反応しないように制御されている。施術者は、患者の体型や症例に合わせて診療ポジションを選択し、それに応じてスイッチ１（１２１ｂ）又はスイッチ２（１２２ｂ）を押す。【００１６】  図８は、オートのときのマイクロモータ使用時の操作パネルである。
本図では診療の場面の一例として、オートで、かつマイクロモータ使用時の状態を示している。マイクロモータ使用時は、ホルダ８からマイクロモータを取り出した際にホルダ８のスイッチ（図示せず）が入り、うがいのために背板２を動かすためのスイッチ３（１２３ｂ）と、液晶画面操作スイッチ３１、３３、及びインスツルメント操作スイッチ６１、６２、６３、６４が現れて操作可能となり、表示灯４１、４２、４３、４４と、インスツルメント表示灯５１の４のところが点灯する。
この後、マイクロモータの使用が終わり再びホルダ８に格納すると、スイッチ３（１２３ｂ）は継続して見える状態となり、診療終了のポジションまで自動で動かして患者がシート３から降りられるようにするためのスイッチ４（１２４ｂ）が新たに見えるようになる。また、液晶画面操作スイッチ３１、３３、及びインスツルメント操作スイッチ６１、６２、６３、６４は見えなくなり操作できなくなるとともに、表示灯４１、４２、４３、４４と、インスツルメント表示灯５１の４のところは消灯する。【００１７】  図９は、タッチスイッチ及び表示灯の断面模式図である。
２０１、２０３は光導体、２０２、２０４はバックライト、２０５はＬＥＤである。
本図は、タッチスイッチとバックライトを装備し、操作不要のスイッチを見えないようにする方式の操作パネル７ｂにおいて、例えばスイッチ１（１２１ａ、１２１ｂ）の様にバックライトを２個備え表示を切替えられるタッチスイッチと、例えば表示灯４１の様に点灯したときだけ現れ、消灯する見えなくなる表示灯の断面模式図である。前記タッチスイッチは静電容量式であるが、パネルシート２０ｂの裏側の電極等は図面の簡略化のため図示していない。前記タッチスイッチ及び前記表示灯が見えない状態のときは、操作パネル７ｂの表面は凹凸も何もない。光導体２０１、２０３及びバックライト２０２、２０４は、それぞれ一方がオート用、もう一方がマニュアル用であり、切換えスイッチ２５により切替わり、どちらか一方が機能する。例えば、切換えスイッチ２５によりオートに切替わると、バックライト２０２が点灯し、光導体２０１によりバックライト２０２の光がパネルシート２０ｂまで導かれて前記タッチスイッチが施術者に見えるようになる。光導体２０１、２０３は、実際にはオート又はマニュアルの識別表示に合わせた形状をしており、バックライト２０２、２０４が点灯するとそれぞれの識別表示が現れ、オート又はマニュアルで使用可能となる。
また他の実施例として、実施例１の様な識別表示のタッチスイッチを使用し、１個のバックライトでオートとマニュアルを同時に表すようにすることもできる。この場合は、光導体は無くても良い。
表示灯４１、４２、４３、４４や、インスツルメント表示灯５１は、本図の様にパネルシート２０ｂとその背後に配置されたＬＥＤ２０５により構成される。ＬＥＤ２０５が点灯すると、パネルシート２０ｂまでその光が導かれ、表示灯として機能し、消灯すると施術者から見えなくなる。
【符号の説明】
【００１８】１  歯科用チェアユニット
２  背板
３  シート
４  補助者側ホルダ
５  ライト
６  テーブル
７ａ  操作パネル
７ｂ  操作パネル
８  ホルダ
９  ベース
１０  ベースン
２０ａ  パネルシート
２０ｂ  パネルシート
２１  スイッチ１
２２  スイッチ２
２３  スイッチ３
２４  スイッチ４
２５  切替えスイッチ
３１  液晶画面操作スイッチ
３２  液晶画面
３３  液晶画面操作スイッチ
４１  表示灯
４２  表示灯
４３  表示灯
４４  表示灯
５１  インスツルメント表示灯
６１  インスツルメント操作スイッチ
６２  インスツルメント操作スイッチ
６３  インスツルメント操作スイッチ
６４  インスツルメント操作スイッチ
１２１ａ  スイッチ１
１２２ａ  スイッチ２
１２３ａ  スイッチ３
１２４ａ  スイッチ４
１２１ｂ  スイッチ１
１２２ｂ  スイッチ２
１２３ｂ  スイッチ３
１２４ｂ  スイッチ４
２０１  光導体
２０２  バックライト
２０３  光導体
２０４  バックライト
【図１】
2014033954.tif 000003
【図２】
2014033954.tif 000004
【図３】
2014033954.tif 000005
【図４】
2014033954.tif 000006
【図５】
2014033954.tif 000007
【図６】
2014033954.tif 000008
【図７】
2014033954.tif 000009
【図８】
2014033954.tif 000010
【図９】
2014033954.tif 000011